(57)【要約】【課題】光源から離れた場所にも十分な強さの光を伝達することが可能な照度分布調整板、面光源装置及び表示装置を提供する。【解決手段】光源から出射した光の照度分布を調整するための照度分布調整板４０は、光が透過可能な複数の光透過部４５が形成された基材４１を備える。基材４１は、アルミニウム体５３を有する。【選択図】図７Ａ
2020004658.tif 000002
【特許請求の範囲】
【請求項１】
光源から出射した光の照度分布を調整するための照度分布調整板であって、
光が透過可能な複数の光透過部が形成された基材を備え、
前記基材は、アルミニウム体を有する、照度分布調整板。
【請求項２】
前記基材は、光が透過する樹脂層を更に有し、
前記アルミニウム体は、層状のアルミニウム層を形成し、
前記樹脂層は、前記アルミニウム層よりも前記光源に近い側に配置される請求項１に記載の照度分布調整板。
【請求項３】
前記基材は、光が透過する第１樹脂層及び第２樹脂層を更に有し、
前記アルミニウム体は、層状のアルミニウム層を形成し、
前記第１樹脂層は、前記アルミニウム層よりも前記光源に近い側に配置され、
前記第２樹脂層は、前記アルミニウム層よりも前記光源から遠い側に配置される請求項１に記載の照度分布調整板。
【請求項４】
光源と、
対向方向に関して前記光源から離れた位置において、前記光源と対向して配置される請求項１〜３のいずれか一項に記載の照度分布調整板であって、前記光源から出射した光の照度分布を調整する照度分布調整板と、
前記照度分布調整板を介して前記光源とは反対側に位置する光拡散板と、を備える面光源装置。
【請求項５】
前記対向方向に関して前記照度分布調整板から離れた位置において、前記照度分布調整板と対向して配置される光反射層を更に備え、
前記照度分布調整板及び前記光反射層によって区画される空間に前記光源が配置され、
前記対向方向に関する前記照度分布調整板と前記光反射層との間の距離は、２ｍｍ以下である、請求項４に記載の面光源装置。
【請求項６】
前記対向方向に関して前記照度分布調整板から離れた位置において、前記照度分布調整板と対向して配置される光反射層を更に備え、
前記照度分布調整板及び前記光反射層によって区画される空間に前記光源が配置され、
前記照度分布調整板は１以上の区画領域を有し、
前記１以上の区画領域の各々には、一つの前記光源が割り当てられており、
前記対向方向に関する前記照度分布調整板と前記光反射層との間の距離をＤで表し、前記１以上の区画領域の各々の一辺の長さをＬで表した場合、Ｌ／Ｄ≧１０、が満たされる請求項４又は５に記載の面光源装置。
【請求項７】
請求項４〜６のいずれか一項に記載の面光源装置と、
前記面光源装置と対向して配置され、光の透過及び遮断を行う表示パネルと、を備える表示装置。
【発明の詳細な説明】
【技術分野】
【０００１】
本発明は、照度分布調整板、面光源装置及び表示装置に関する。
【背景技術】
【０００２】
液晶表示パネルを背面側から照明するバックライトとして、面状に発光する面光源装置が広く普及している。面光源装置は、光学部材の側方に光源を配置するエッジライト型と、光学部材の直下に光源を配置する直下型とに大別される。
【０００３】
エッジライト型の面光源装置は薄型化が比較的容易である。そのため車載用の液晶表示装置などの薄型化が求められている液晶表示装置では、バックライトとしてエッジライト型の面光源装置が用いられてきた。その一方で、車載用の液晶表示装置では、窓から差し込む外光の下での視認性を確保するために、表示を明るくすることが求められている。エッジライト型の面光源装置を使って明るい表示を得ようとする場合、光学部材の側方に多数の光源を密に配置する必要がある。しかしながら車載用の液晶表示装置は狭い空間に配置されることが多く、狭い空間に多数の光源が密に配置されると、光源から生じる熱が外方へ十分に放出されず、液晶表示装置は高温になって誤動作を生じる虞がある。一方、直下型の面光源装置をバックライトとして用いる場合、複数の光源を互いに離間して配置することができるので、光源から生じる熱を適切に放出することができ、液晶表示装置の誤動作等の不具合を有効に回避することができる。したがって車載用の液晶表示装置においては、直下型の面光源装置をバックライトとして用いつつ、この面光源装置を薄型化することが求められている。
【０００４】
直下型の面光源装置において、装置を薄型化しつつ映像の明るさのムラを抑えるために、光源と液晶表示パネルとの間に照度分布調整板を配置し、この照度分布調整板により光の照度分布を調整する技術が知られている。この照度分布調整板は、反射部材で構成され、多数の光透過孔を有する。通常は、一つの光源によってカバーするエリアを複数の細かい要素領域に分割し、一つの要素領域に一つの光透過孔を配置して、光源からの距離が大きくなるに従って光透過孔の開口率が大きくなるように、照度分布調整板が設計される。これにより照度分布調整板を通過する光の分布を均一化し、映像の明るさのムラを抑えることが可能である。
【０００５】
例えば特許文献１が開示する直下型の面照明光源装置は複数の開口部を有する光学反射板を備えており、光学反射板の中心から外方に遠ざかるに従い、開口部の開口率が大きくなる。
【先行技術文献】
【特許文献】
【０００６】
【特許文献１】特許第４５３８６７５号公報
【発明の概要】
【発明が解決しようとする課題】
【０００７】
上述のように、照度分布調整板のうち光透過孔以外の箇所は、光源からの光を反射することが本来的に期待されている。そのため、照度分布調整板は光源からの光に対して反射性を示す部材によって構成され、具体的には、発泡ポリエチレンテレフタレート（発泡ＰＥＴ）等の発泡樹脂によって照度分布調整板が形成されることが多い。しかしながら樹脂製の照度分布調整板は、比較的高い反射率を示すことができるが、実際には僅かながら光を透過させており、例えば入射光のうちの数％程度の光を透過させる場合もある。
【０００８】
光源から発せられた光は照度分布調整板に対する入射及び反射を繰り返し行うが、入射光の一部を透過させる照度分布調整板が用いられる場合、照度分布調整板に光が入射するたびに、反射光の強さは徐々に弱まる。そのような照度分布調整板が直下型の面光源装置において用いられる場合、一つの光源によってカバーされるべきエリアの周辺箇所にまで十分な強さの光が届かないことがある。すなわち、一つの光源によって実質的にカバー可能な範囲が小さくなって、光源から離れた場所での発光が視認可能な程度に弱くなることがある。そのような周辺箇所における発光強さの低下を防いで面光源装置の全面から十分な強さの光を発するには、光源の数を増やす必要があるが、使用する光源の数が増えるほど製造コストは増大する。
【０００９】
このように樹脂製の照度分布調整板では、本来反射されるべき光の一部が照度分布調整板を透過して漏れ出しており、光源からの光を必ずしも有効には活用できていない。そのため、光源から離れた場所から発せられる光の強さが不十分になったり、光源の数を増やして製造コストの増大を招いたりしていた。これらの不具合は、特に光源からの光が伝達される空間（すなわち照度分布調整板及び他の反射部材によって区画される空間）の厚みが小さい場合に顕著に現れる傾向があり、面光源装置の薄型化を阻害する要因ともなっている。
【００１０】
本発明は上述の事情に鑑みてなされたものであり、照度分布調整板を使って、光源から離れた場所にも十分な強さの光を伝達することが可能な技術を提供することを目的とする。
【課題を解決するための手段】
【００１１】
本発明の一態様は、光源から出射した光の照度分布を調整するための照度分布調整板であって、光が透過可能な複数の光透過部が形成された基材を備え、基材は、アルミニウム体を有する、照度分布調整板に関する。
【００１２】
基材は、光が透過する樹脂層を更に有し、アルミニウム体は、層状のアルミニウム層を形成し、樹脂層は、アルミニウム層よりも光源に近い側に配置されてもよい。
【００１３】
基材は、光が透過する第１樹脂層及び第２樹脂層を更に有し、アルミニウム体は、層状のアルミニウム層を形成し、第１樹脂層は、アルミニウム層よりも光源に近い側に配置され、第２樹脂層は、アルミニウム層よりも光源から遠い側に配置されてもよい。
【００１４】
本発明の他の態様は、光源と、対向方向に関して光源から離れた位置において、光源と対向して配置される上記の照度分布調整板であって、光源から出射した光の照度分布を調整する照度分布調整板と、照度分布調整板を介して光源とは反対側に位置する光拡散板と、を備える面光源装置に関する。
【００１５】
面光源装置は、対向方向に関して照度分布調整板から離れた位置において、照度分布調整板と対向して配置される光反射層を更に備え、照度分布調整板及び光反射層によって区画される空間に光源が配置され、対向方向に関する照度分布調整板と光反射層との間の距離は、２ｍｍ以下であってもよい。
【００１６】
面光源装置は、対向方向に関して照度分布調整板から離れた位置において、照度分布調整板と対向して配置される光反射層を更に備え、照度分布調整板及び光反射層によって区画される空間に光源が配置され、照度分布調整板は１以上の区画領域を有し、１以上の区画領域の各々には、一つの光源が割り当てられており、対向方向に関する照度分布調整板と光反射層との間の距離をＤで表し、１以上の区画領域の各々の一辺の長さをＬで表した場合、Ｌ／Ｄ≧１０、が満たされてもよい。
【００１７】
本発明の他の態様は、上記の面光源装置と、面光源装置と対向して配置され、光の透過及び遮断を行う表示パネルと、を備える表示装置に関する。
【発明の効果】
【００１８】
本発明によれば、照度分布調整板を使って、光源から離れた場所にも十分な強さの光を伝達することが可能である。
【図面の簡単な説明】
【００１９】
【図１】図１は、表示パネルと面光源装置を備えた表示装置の一例を概略的に示す図である。
【図２】図２は、面光源装置の一例を概略的に示す斜視図である。
【図３】図３は、面光源装置に組み込まれた照度分布調整板の一例を示す平面図である。
【図４】図４は、図３のＩＶ−ＩＶ線に沿った面光源装置の断面を示す図である。
【図５】図５は、照度分布調整板の一つの区画領域を示す平面図であって、要素領域及び光透過孔の配置パターンの一例を示す図である。
【図６】図６は、要素領域の平面視形状の一変形例を示す図である。
【図７Ａ】図７Ａは、照度分布調整板の層構造の一例を説明するための断面図であり、照度分布調整板の構造を簡略的に示している。
【図７Ｂ】図７Ｂは、照度分布調整板の層構造の他の例を説明するための断面図であり、照度分布調整板の構造を簡略的に示している。
【図８】図８は、一つの区画領域において照度分布調整板及び光反射層によって区画される空間を概略的に示す断面図である。
【図９】図９は、対向方向に関する照度分布調整板と光反射層との間の距離Ｄと、区画領域において照度分布調整板により伝達される光の強さ（照度分布）と、の関係例を示す図である。
【発明を実施するための形態】
【００２０】
以下、図面を参照して本発明の一実施の形態について説明する。なお、本件明細書に添付する図面においては、図示と理解のしやすさの便宜上、適宜縮尺及び縦横の寸法比等を、実物のそれらから変更し誇張してある。
【００２１】
本明細書において、「板」、「シート」、「フィルム」の用語は、呼称の違いのみに基づいて、互いから区別されるものではない。例えば、「板」は「シート」や「フィルム」と呼ばれうるような部材をも含む概念であり、したがって、例えば、「照度分布調整板」は、「照度分布調整シート」や「照度分布調整フィルム」と呼ばれる部材と、呼称の違いのみにおいて区別され得ない。
【００２２】
また、「板面（シート面、フィルム面）」とは、対象となる板状（シート状、フィルム状）の部材を全体的且つ大局的に見た場合において対象となる板状部材（シート状部材、フィルム状部材）の平面方向と一致する面のことを指す。なお、本明細書において、面及び板状（シート状、フィルム状）の部材の法線方向とは、対象となる面及び板状（シート状、フィルム状）の部材の板面への法線方向のことを指す。
【００２３】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待しうる程度の範囲を含めて解釈することとする。
【００２４】
図１は、表示パネル１５と面光源装置２０を備えた表示装置１０の一例を概略的に示す図である。図２は、面光源装置２０の一例を概略的に示す斜視図である。
【００２５】
本実施の形態の表示装置１０は、例えば動画、静止画、文字情報、或いはこれらの組み合わせで構成された映像を表示パネル１５に表示する装置である。本実施の形態では、表示装置１０が車載用の液晶表示装置である例について説明するが、これに限られることなく、表示装置１０は、室内又は屋外において、広告、プレゼンテーション、テレビジョン映像、各種情報の表示等、様々な用途に使用されうる。図１に示された表示装置１０は、出光面２０ａを有する面光源装置２０と、面光源装置２０の出光面２０ａと対向して配置された表示パネル１５と、を有している。表示パネル１５は、入射された光の透過及び遮断を行うことができる。図示された例では、表示パネル１５は液晶表示パネルとして構成されており、したがって表示装置１０は液晶表示装置として構成されている。本実施の形態では、面光源装置２０はいわゆる直下型のバックライトを構成しており、表示パネル１５の背面側（すなわち観察者５とは反対側）から表示パネル１５を照明する。
【００２６】
図示された例では、表示パネル１５は、映像が表示される表示面１５ａが面光源装置２０とは反対側を向くように配置されている。これにより、表示パネル１５の表示面１５ａが表示装置１０の表示面１０ａを形成する。表示パネル１５は、表示パネル１５の法線方向から見て、すなわち平面視において、矩形形状に形成されている。
【００２７】
本実施の形態の表示パネル１５は、透過型の液晶表示パネルであり、面光源装置２０から表示パネル１５に入射した光の一部を透過させ、表示面１５ａに映像を表示させる。表示パネル１５は、液晶材料を有する液晶層を含んでおり、表示パネル１５の光透過率は、液晶層に印加される電界の強度に応じて変化する。このような表示パネル１５の一例として、一対の偏光板と、一対の偏光板間に配置された液晶セル（液晶層）と、を有する液晶表示パネルを用いることができる。この液晶表示パネルにおいて、偏光板は、入射した光を直交する二つの偏光成分に分解し、一方の方向の偏光成分を透過させ、一方の方向に直交する他方の方向の偏光成分を吸収する機能を有した偏光子を有する。液晶セルは、一対の支持板と、一対の支持板間に配置された液晶と、を有する。液晶セルは、一つの画素を形成する領域毎に電界が印加されうるようになっており、電界が印加された液晶セルの液晶の配向は変化するようになる。面光源装置２０から出射し、液晶セルの面光源装置２０側に配置された偏光板を透過した特定方向（透過軸と平行な方向）の偏光成分は、一例として、電界印加されていない液晶セルを通過する際にはその偏光方向を９０°回転させ、電界印加されている液晶セルを通過する際にはその偏光方向を維持する。これにより、液晶セルへの電界印加の有無によって、液晶セルの面光源装置２０側に配置された偏光板を透過した特定方向の偏光成分が、液晶セルの面光源装置２０と反対側に配置された他の偏光板をさらに透過するか、或いは、当該他の偏光板で吸収されて遮断されるか、を制御することができる。
【００２８】
面光源装置２０は、面状の光を出射する出光面２０ａを有しており、出光面２０ａの法線方向に出光面２０ａと対向する領域内に光源２２が設けられた、いわゆる直下型のバックライトとして構成されている。図２に示されているように、本実施の形態の面光源装置２０は、ベース積層体３０、スペーサ２３、照度分布調整板４０、光拡散板２６、第１光学シート２７及び第２光学シート２８を有している。図示された例では、ベース積層体３０上にスペーサ２３及び照度分布調整板４０が順に積層され、照度分布調整板４０から所定の距離だけ離間して、光拡散板２６、第１光学シート２７及び第２光学シート２８の積層体が配置されている。すなわち光拡散板２６は、照度分布調整板４０を介して光源２２とは反対側に位置しており、空隙層５１を介して照度分布調整板４０上に配置されている。空隙層５１には、空気等の任意の気体が存在しており、光の拡散を積極的に促す成分は含まれていない。ただし、光拡散板２６は照度分布調整板４０上に直接的に配置されてもよく、光拡散板２６と照度分布調整板４０との間に空隙層５１が設けられていなくてもよい。そして、第２光学シート２８が面光源装置２０の出光面２０ａをなしている。
【００２９】
図３は、面光源装置２０に組み込まれた照度分布調整板４０の一例を示す平面図である。図４は、図３のＩＶ−ＩＶ線に沿った面光源装置２０の断面を示す図である。とりわけ図４は、照度分布調整板４０の基材４１における一つの区画領域Ａａに対応する面光源装置２０の断面を示している。
【００３０】
光源２２は、例えば発光ダイオード（ＬＥＤ）等で構成され、照度分布調整板４０と対向して配置されている。本実施の形態では、図３によく示されているように、光源２２は、面光源装置２０の板面に平行な第１方向ｄ１に沿って並べて配置されるすなわち配列されるとともに、面光源装置２０の板面に平行且つ第１方向ｄ１と交差する第２方向ｄ２に沿って配列される。とりわけ本実施の形態では、第１方向ｄ１と第２方向ｄ２とは直角をなす。すなわち、本実施の形態では、複数の光源２２が第１方向ｄ１及び第２方向ｄ２に沿って２次元的に配列される。なお、これに限られず、面光源装置２０は、第１方向ｄ１又は第２方向ｄ２に沿って一列に配列された複数の光源２２を有していてもよいし、一つの光源２２のみを有していてもよい。なお、各光源２２の出力、すなわち、各光源２２の点灯及び消灯、及び／又は、各光源２２の点灯時の明るさは、他の光源２２の出力から独立して調節されうることが好ましい。
【００３１】
照度分布調整板４０は、対向方向ｄ３に関して光源２２から離れた位置において光源２２と対向して配置され、光源２２から出射した光の照度分布を調整する。図３に示された例では、照度分布調整板４０の輪郭は平面視において矩形形状を有している。第１方向ｄ１及び第２方向ｄ２は任意に定義できるが、図示された例では、第１方向ｄ１は照度分布調整板４０の輪郭をなす矩形形状の一辺と平行をなすように定義され、第２方向ｄ２は当該一辺と直交する他の一辺と平行をなすように定義される。とりわけ図示された例では、第１方向ｄ１は照度分布調整板４０の輪郭をなす矩形形状の長辺と平行をなすように定義され、第２方向ｄ２は当該矩形形状の短辺と平行をなすように定義される。
【００３２】
スペーサ２３は、照度分布調整板４０を支持する部材であり、ベース積層体３０と照度分布調整板４０との間を所定の距離に保つ機能を有している。図２及び図３に示されているように、スペーサ２３は、隣り合う二つの光源２２の間を仕切る壁部２４を有しており、これにより、各光源２２に対応して、壁部２４で囲まれた開口２５が形成されている。図示された例では、スペーサ２３は、平面視において、第１方向ｄ１に配列され第２方向ｄ２に延びる複数の壁部２４と、第２方向ｄ２に配列され第１方向ｄ１に延びる複数の壁部２４と、が格子をなすように配置されている。開口２５は、光源２２の配置パターンに対応して設けられる。すなわち、スペーサ２３は、第１方向ｄ１に配列されるとともに、第２方向ｄ２に配列された、複数の開口２５を有している。本実施の形態では、各開口２５は、平面視において矩形とりわけ正方形をなして形成されているが、これに限られず、各開口２５は、平面視において三角形、六角形、円形等の他の形状をなしていてもよい。このようなスペーサ２３は、例えばポリカーボネート樹脂、アクリロニトリル−ブタジエン−スチレン共重合樹脂（ＡＢＳ樹脂）、アクリロニトリル−スチレン−アクリレート共重合樹脂（ＡＳＡ樹脂）、アクリロニトリル−ブタジエン−スチレン共重合樹脂（ＡＥＳ樹脂）、ポリメチルメタクリレート樹脂（ＰＭＭＡ樹脂）、ポリアセタール樹脂、ポリ塩化ビニル樹脂、ポリエチレン樹脂、ポリプロピレン樹脂、ポリエチレンテレフタレート樹脂、又はこれらの樹脂を２種以上混合した混合物等で形成することができる。とりわけスペーサ２３は、可視光波長域の光に対する高い反射性を有する材料で構成されることが好ましい。
【００３３】
なお図示の例では、壁部２４（スペーサ２３）によって囲まれた開口２５が各光源２２に対応して設けられているが、各光源２２が配置される領域は必ずしも壁部２４（スペーサ２３）によって囲まれていなくてもよい。すなわち、隣り合う二つの光源２２の間は壁部２４によって仕切られていなくてよく、一部の箇所においてのみそのような壁部２４（スペーサ２３）が設けられてもよい。ただしそのような場合であっても、ベース積層体３０と照度分布調整板４０との間は、スペーサ２３或いは他の支持構造によって、所定の距離に保たれる。
【００３４】
図３では、照度分布調整板４０の背面側に配置される光源２２及びスペーサ２３の開口２５の位置が破線で示されている。照度分布調整板４０は、光源２２から出射した光を透過させるための複数の光透過孔（光透過部）４５が形成された基材４１を備えている。なお、図３では、光透過孔４５の図示は省略されている。照度分布調整板４０の基材４１は、各光源２２に対応した１以上の区画領域Ａａを有している。図示の基材４１は複数の区画領域Ａａを有し、一つの光源２２に対して一つの区画領域Ａａが設けられている。すなわち、各区画領域Ａａには一つの光源２２が割り当てられている。したがって、基材４１は、第１方向ｄ１に沿って配列されるとともに、第２方向ｄ２に沿って配列された、複数の区画領域Ａａを有している。図３では、基材４１における一点鎖線で区画された領域がそれぞれの区画領域Ａａを示している。図示された例では、各区画領域Ａａは平面視で矩形形状に形成されているが、区画領域Ａａの形状はこれに限られない。なお、各区画領域Ａａは、規則的に配列された複数の要素領域Ａｂにさらに区分けされる。図示の要素領域Ａｂは互いに共通の形状及び共通の大きさを有するが、要素領域Ａｂの具体的な形状及び大きさは限定されず、例えば要素領域Ａｂ間において形状が異なっていてもよい。なお、要素領域Ａｂの具体的な形状及び配列パターンについては後述する。
【００３５】
図３に示された例では、基材４１の隣り合う区画領域Ａａを区画する区画線Ｌａは、スペーサ２３の壁部２４に沿って定義される。言い換えると、区画線Ｌａは、照度分布調整板４０の法線方向に沿ってスペーサ２３の壁部２４と対向する領域内に位置するように定義される。結果として、区画線Ｌａは、全体として、第１方向ｄ１に配列され第２方向ｄ２に延びる複数の区画線Ｌａと、第２方向ｄ２に配列され第１方向ｄ１に延びる複数の区画線Ｌａと、が格子をなすように定義される。図示された例では、各区画領域Ａａは、第１方向ｄ１に沿った幅Ｗ１と、第２方向ｄ２に沿った幅Ｗ２とを有する。この幅Ｗ１及び幅Ｗ２は、例えば５ｍｍ以上５０ｍｍ以下とすることができる。
【００３６】
なお壁部２４（スペーサ２３）が設けられない場合、区画線Ｌａは、例えば隣り合う二つの光源２２間の中心位置に基づいて定められうる。例えば、第１方向ｄ１に隣り合う二つの光源２２間の中心位置を通る線、及び、第２方向ｄ２に隣り合う二つの光源２２間の中心位置を通る線によって、隣り合う区画領域Ａａを区画する区画線Ｌａを定めることが可能である。
【００３７】
ベース積層体３０は、光源２２を支持するとともに、光源２２に対して電源を供給する機能を有する。図４に示された例では、ベース積層体３０は、基材３１、接合層３２、フィルム基板３３、配線層３４、レジスト層３５及び光反射層３６を有している。
【００３８】
基材３１は、フィルム基板３３、配線層３４、レジスト層３５及び光反射層３６を保持する基材として機能する部材である。基材３１の材料としては、フィルム基板３３、配線層３４、レジスト層３５及び光反射層３６を適切に保持することができるものであれば特に限られないが、例えば金属や樹脂等を用いることができる。とりわけアルミニウム等の熱伝導性の良い金属材料で形成された基材３１を用いると、光源２２で生じた熱をこの基材３１を介して面光源装置２０の背面側へ向けて放出することができるので、より好ましい。この基材３１の厚さは、例えば０．２ｍｍ以上１０ｍｍ以下とすることができる。なお、基材３１は、面光源装置２０の筐体の一部をなしていてもよい。
【００３９】
フィルム基板３３は、配線層３４を保持する基材として機能する部材であり、配線層３４とともにプリント配線板を形成する。図４に示されたフィルム基板３３は、可撓性を有する樹脂フィルムで形成されており、これによりフィルム基板３３は、配線層３４とともにフレキシブルプリント配線板を形成する。このフィルム基板３３の厚さは、例えば１０μｍ以上５００μｍ以下とすることができる。フィルム基板３３として、従来のリジッド基板よりも薄い基板を用いることにより、面光源装置２０を薄型化することができる。フィルム基板３３の材料としては、絶縁性、耐熱性、耐久性、加熱時の寸法安定性、機械的強度等を考慮して適宜選択されうるが、例えば、ポリイミド（ＰＩ）や、ポリエチレンナフタレート（ＰＥＮ）、ポリエチレンテレフタレート（ＰＥＴ）を用いることができる。
【００４０】
フィルム基板３３は、接合層３２を介して基材３１に固定される。接合層３２は、フィルム基板３３を適切に基材３１に固定できるものであれば特に限られない。一例として、接合層３２として両面テープを用いることができる。その他にも、接合層３２として適宜の接着剤や粘着剤が用いられてもよい。また接合層３２に加えて或いは接合層３２の代わりに、フィルム基板３３及び基材３１の各々に孔を形成し、これらの孔にネジ、ピン或いはリベット等の固定具を配置して、当該固定具によりフィルム基板３３及び基材３１を相互に固定することも可能である。
【００４１】
配線層３４は、フィルム基板３３上に設けられ、光源２２に対して電源を供給する機能を有する。そのため、配線層３４は、導電性の高い金属材料で形成されることが好ましい。配線層３４を形成する金属材料としては、例えば、銅、アルミニウム、金、銀等又はこれらの合金等の金属材料を挙げることができる。一例として、配線層３４は、サブトラクト法を用いて形成することができる。すなわち、フィルム基板３３上に配置された銅箔等の金属層を、フォトリソグラフィー技術を用いたエッチングによりパターニングすることにより、所望のパターンを有する配線層３４を形成することができる。なお、これに限られず、配線層３４は、アディティブ法やセミアディティブ法等の他の方法を用いて形成されてもよい。なお、配線層３４における、光源２２や他の配線又はコネクタとの接続部には、電極部が設けられる。
【００４２】
配線層３４、及び、配線層３４から露出したフィルム基板３３上には、レジスト層３５が設けられる。とりわけレジスト層３５は、配線層３４の電極部となる箇所を除いて、配線層３４、及び、配線層３４から露出したフィルム基板３３を覆うようにして設けられる。このレジスト層３５は、配線層３４を保護するとともに、配線層３４と他の部材との間の短絡を防止する機能を有する。レジスト層３５の材料としては、例えば、ポリエステル系樹脂、エポキシ系樹脂、エポキシ系及びフェノール系樹脂、エポキシアクリレート樹脂、シリコーン系樹脂等の樹脂材料を用いることができる。またレジスト層３５自体が光反射性能を有していてもよく、例えば酸化チタンなどの白色顔料が混ぜられた材料によってレジスト層３５を構成してもよい。レジスト層３５は、一例として、配線層３４及びフィルム基板３３全体を覆うように樹脂層を設け、フォトリソグラフィー技術を用いたエッチングにより配線層３４の電極部となる箇所に、当該電極部を露出させる開口を設けることにより形成することができる。
【００４３】
光反射層３６は、対向方向ｄ３に関して照度分布調整板４０から離れた位置において、照度分布調整板４０と対向して配置され、光源２２からの光を反射する。光反射層３６は、光源２２から出射した光の利用効率を向上させるために設けられる層であり、光源２２から出射して照度分布調整板４０で反射されてその光路が光反射層３６側に向けられて曲げられた光を、再び照度分布調整板４０へ向けて反射させる機能を有する。そのため、光反射層３６は、可視光波長域の光に対する高い反射性を有する層であることが好ましい。また、光反射層３６は、照度分布調整板４０の光源２２と同じ側に照度分布調整板４０と平行をなして配置される。すなわち、照度分布調整板４０及び光反射層３６によって区画される空間に光源２２が配置される。図４に示された例では、光反射層３６は、光源２２が配置されるべき箇所を除いて、レジスト層３５上に積層されている。図示された例では、光反射層３６は、平面視において光源２２を囲むようにして配置されている。また、図示された例では、光反射層３６は、レジスト層３５の光源２２を囲む内周縁部を露出させるようにして設けられている。なお、これに限られず、光反射層３６は、例えばレジスト層３５の光源２２を囲む内周縁部が露出しないように、レジスト層３５の内周縁部と光反射層３６の内周縁部が一致するようにして設けられていてもよい。光反射層３６としては、例えば白色の樹脂材料で形成された層を用いることができる。また、レジスト層３５自体が反射性能を有する場合（例えばレジスト層３５が酸化チタンなどの白色顔料を含む場合）には、レジスト層３５によっても光を照度分布調整板４０に向けて反射することができ、光の利用効率を向上させることができる。
【００４４】
光源２２は、導電接続層３７を介して配線層３４の電極部に接続されている。導電接続層３７としては、例えば、はんだ、導電性接着剤等からなる層を用いることができる。
【００４５】
光拡散板２６は、照度分布調整板４０を介して光源２２とは反対側において、空隙層５１を介して照度分布調整板４０上に配置され、又は、照度分布調整板４０上に直接的に配置される。この光拡散板２６は、当該光拡散板２６に入射した光を拡散する機能を有した板状部材であり、これにより、照度の面内分布を均一化させ、照度分布調整板４０の光透過孔４５の像を目立たなくさせることができる。光拡散板２６としては、光拡散機能を有する部材であれば特に限定されることなく使用可能であるが、例えば、表面に微細な凹凸を有する樹脂板やガラス板、内部に拡散粒子を有する樹脂板やガラス板を用いることができる。
【００４６】
本実施の形態における第１光学シート２７は、光源２２側から入射した光の進行方向を変化させて表示パネル１５側から出射させ、第１光学シート２７の法線方向における照度を集中的に向上させるための集光シートである。本実施の形態の集光シートは、そのシート面上のある方向に沿って配列された複数の単位プリズムを有したシートである。この集光シートとしては、例えば米国３Ｍ社から入手可能な「ＢＥＦ」（登録商標）を用いることができる。
【００４７】
また、本実施の形態における第２光学シート２８は、その透過軸と平行な方向の偏光成分を透過させ、その透過軸に直交する反射軸と平行な方向の偏光成分を反射する反射型偏光板である。この反射型偏光板によれば、面光源装置２０から出射し表示パネル１５で有効に利用され得ない偏光成分の光が、当該表示パネル１５へ入射して偏光板で吸収されてしまうことを防止することができる。したがって、光源光の利用効率を向上させて、照度特性を改善することができる。この反射型偏光板としては、例えば米国３Ｍ社から入手可能な「ＤＢＥＦ」（登録商標）を用いることができる。
【００４８】
このような光拡散板２６、第１光学シート２７及び第２光学シート２８としては、いずれも、面光源装置２０の十分な照度を確保する観点から、可視光透過率の高いものを用いることが好ましい。
【００４９】
［照度分布調整板］
次に、照度分布調整板４０について詳述する。
【００５０】
図５は、照度分布調整板４０の一つの区画領域Ａａを示す平面図であって、要素領域Ａｂ及び光透過孔４５の配置パターンの一例を示す図である。照度分布調整板４０は、光源２２から出射した光を透過させる複数の光透過孔４５が形成された基材４１を有する。複数の光透過孔４５は、各区画領域Ａａ内において、区画領域Ａａの中心Ｃから離れるほどその開口面積が大きくなるパターンにて配置されている。図示の例では、各光源２２の中心（すなわち光源２２の発光部分の平面視形状の重心）と、対応の区画領域Ａａの中心Ｃとは、対向方向ｄ３と平行に延びる同一直線上に位置する。なお対向方向ｄ３は、光源２２が照度分布調整板４０に対して対向する方向であり、図示の例では、面光源装置２０を構成するベース積層体３０、スペーサ２３及び照度分布調整板４０等の構成要素の積層方向であり、第１方向ｄ１及び第２方向ｄ２の各々と直角をなす方向であり、平板構造を持つ照度分布調整板４０の法線方向と一致する。
【００５１】
したがって照度分布調整板４０に形成された複数の光透過孔４５は、光源２２からの距離が遠くなるほど、対応の要素領域Ａｂにおける開口率（＝光透過孔の面積／要素領域の面積）が増大する。照度分布調整板４０は、光源２２から出射した光の利用効率を向上させる機能も有しており、当該照度分布調整板４０に入射した光を反射させてその光路を光反射層３６側に向けて曲げることができるように構成されている。
【００５２】
本実施の形態の光透過孔４５は、基材４１に形成された物理的な孔、すなわち対向する基材４１の二つの主面のうちの一方の主面から他方の主面へ延びる貫通孔として形成されているが、光透過孔４５の具体的構成は、これに限られない。光透過孔４５は、照度分布調整板４０の板面への法線方向の一方側から他方側へ光が透過可能な部分として形成されていればよく、例えば、照度分布調整板４０が、光透過性を有する板状の透明基材と、この透明基材上とりわけ透明基材の光源２２側の主面上に設けられた光反射層と、を有し、光透過孔４５が、この光反射層内に設けられた開口部として構成されてもよい。この場合、透明基材には物理的な孔を設けなくてもよい。すなわち光透過孔（光透過部）４５の概念には、物理的な孔だけではなく、光を透過可能な部分も含まれる。
【００５３】
図４に示されているように、光源２２から照度分布調整板４０へ向けて出射した光は、照度分布調整板４０で反射されて光反射層３６側へ向けて進む。光反射層３６に入射した光は、当該光反射層３６で反射されて照度分布調整板４０へ向けて進む。これを繰り返した光が照度分布調整板４０の光透過孔４５のいずれかに入射すると、当該光は光透過孔４５を透過して照度分布調整板４０から表示パネル１５側（図４では光拡散板２６側）へ向けて出射する。このとき、光源２２から出射して照度分布調整板４０と光反射層３６との間で反射を繰り返しながら照度分布調整板４０の板面と略平行な方向（一例として図４の第１方向ｄ１）に進む光は、光源２２から離れるにしたがって照度が低下していく。しかし、本実施の形態の照度分布調整板４０では、上述のように、複数の光透過孔４５が、光源２２の直上において光源２２と対面する区画領域Ａａの中心Ｃから離れるほどその開口面積が大きくなるパターンにて配置されているので、各光透過孔４５を透過して出射する光の照度の均一化が図られる。なお、スペーサ２３が可視光波長域の光に対する高い反射性を有する材料で構成されている場合、照度分布調整板４０の板面と略平行な方向に進み、スペーサ２３の壁部２４に入射した光は、当該スペーサ２３で反射され光源２２側へ向けてその光路を曲げられる。これにより、光源２２から出射した光の利用効率をさらに向上させることができる。
【００５４】
図５に示された区画領域Ａａは、規則的に配列された複数の要素領域Ａｂにさらに区分けされる。各要素領域Ａｂは、平面視において六角形形状を有しており、とりわけ平面視において正六角形形状を有している。図示された例では、区画領域Ａａ内に、同一の形状及び大きさを有する複数の要素領域Ａｂが同一のピッチで並べられている。詳細には、複数の要素領域Ａｂは、隣り合う二つの要素領域Ａｂが互いに一つの辺を共有し且つ三つの要素領域Ａｂが互いに一つの頂点を共有するようにして、区画領域Ａａ内に隙間なく並べられている。これにより、複数の要素領域Ａｂはいわゆるハニカム状に配列される。
【００５５】
図５では、照度分布調整板４０の背面側に配置される光源２２の位置が破線で示されている。複数の要素領域Ａｂは、基材４１の法線方向に沿って投影されたときに光源２２と重なる要素領域Ａｂ１を含んでいる。とりわけ図示された例では、一つの要素領域Ａｂ１が区画領域Ａａの中心Ｃに位置している。ここで、要素領域Ａｂ１が、基材４１の法線方向に沿って投影されたときに光源２２と重なるとは、当該要素領域Ａｂ１の少なくとも一部が、基材４１の法線方向に沿って投影されたときに光源２２と重なることを指す。したがって、光源２２と区画領域Ａａとの相対的な位置関係は、図５に示す例には限定されない。例えば、三つの要素領域Ａｂ１に共有された頂点が、基材４１の法線方向に沿って投影されたときに光源２２の中心と重なるように、複数の要素領域Ａｂが配置されてもよく、この場合には、当該頂点を含む三つの要素領域Ａｂ１がそれぞれ、基材４１の法線方向に沿って投影されたときに光源２２と重なることになる。
【００５６】
少なくとも、基材４１の法線方向に沿って投影されたときに光源２２と重なる要素領域Ａｂ１に隣接する要素領域Ａｂ２の各々には、一つの光透過孔４５が形成されている。すなわち、要素領域Ａｂ１といずれかの辺を互いに共有して隣接する複数の要素領域Ａｂ２（図示の例では六つの要素領域Ａｂ２）に、それぞれ一つの光透過孔４５が形成されている。図５に示す例では、要素領域Ａｂ１を除くすべての要素領域Ａｂ（要素領域Ａｂ２を含む）にそれぞれ一つの光透過孔４５が形成されている。言い換えると、要素領域Ａｂ１以外の要素領域Ａｂは、それぞれ一つの光透過孔４５が含まれるようにして定義される。したがって、隣り合う二つの光透過孔４５の間に、それぞれ隣り合う要素領域Ａｂを区画する区画線が位置するようになる。より詳細には、隣り合う要素領域Ａｂを区画する区画線は、隣り合う二つの光透過孔４５の中心同士を結ぶ線分の、基材４１の板面に沿った垂直二等分線の一部として定義されうる。これは、いわゆるボロノイ分割と呼ばれる手法に準拠しており、各光透過孔４５の中心を母点として定め、隣り合う母点間を結ぶ直線に垂直二等分線を引くことによって、各母点に割り当てられる分割領域（すなわち各光透過孔４５に割り当てられる要素領域Ａｂ）を定めることができる。
【００５７】
なお、図５に示された例では、要素領域Ａｂ１には光透過孔４５が形成されていないが、これに限られず、要素領域Ａｂ１にも一つの光透過孔４５が形成されていてもよい。すなわち、区画領域Ａａ内のすべての要素領域Ａｂにそれぞれ一つの光透過孔４５が形成されていてもよい。この場合、一つの要素領域Ａｂ１又は複数の要素領域Ａｂ１の各々も、一つの光透過孔４５が含まれるようにして定義される。
【００５８】
各光透過孔４５は、平面視において円形の輪郭を有している。この場合、光源２２から出射して各光透過孔４５を透過した光は、当該光透過孔４５から、基材４１の板面方向において等方的に出射する。したがって、面光源装置２０から出射する照明光の照度の面内均一性を向上させることができる。ただし、これに限られず、各光透過孔４５は、平面視において楕円形、三角形、矩形、六角形等の他の平面形状を有するように形成してもよい。
【００５９】
光透過孔４５の寸法は、要素領域Ａｂ１から区画領域Ａａの周縁に向かうにつれて大きくなるように変化している。ここで、光透過孔４５の寸法が、要素領域Ａｂ１から区画領域Ａａの周縁に向かうにつれて大きくなるように変化するとは、光透過孔４５の寸法が、要素領域Ａｂ１から区画領域Ａａの周縁に向かうにつれて常に大きくなるように変化する場合のみならず、一部の領域において光透過孔４５の寸法が変化しない場合をも含む。換言すると、光透過孔４５の寸法が、要素領域Ａｂ１から区画領域Ａａの周縁に向かうにつれて大きくなるように変化するとは、光透過孔４５の寸法が、要素領域Ａｂ１から区画領域Ａａの周縁に向かうにつれて小さくなるように変化する領域を有しないことを意味する。図５に示された例では、光透過孔４５の寸法は、要素領域Ａｂ１から区画領域Ａａの周縁に向かうにつれて、常に大きくなるように変化している。なお、図示された例では、各光透過孔４５の中心と当該光透過孔４５が配置された要素領域Ａｂ２の中心とは一致している。したがって複数の光透過孔４５は、隣り合って配置される光透過孔４５の中心間の距離が一定であるように、照度分布調整板４０に形成される。
【００６０】
なお各要素領域Ａｂの平面視形状は、上述の図５に示す正六角形形状には限定されない。例えば、各要素領域Ａｂの平面視形状は図６に示すような正四角形（正方形）形状であってもよい。この場合、各要素領域Ａｂを構成する四つの辺の各々が隣接する他の要素領域Ａｂと共有されるように、複数の要素領域Ａｂ及び複数の光透過孔４５を第１方向ｄ１及び第２方向ｄ２の各々に連続的に配置することができる。また各要素領域Ａｂの平面視形状は他の形状であってもよく、例えば図示は省略するが正八角形形状及び正四角形状が混在していてもよい。この場合、正八角形形状の各要素領域Ａｂの八つの辺のうち、第１方向ｄ１及び第２方向ｄ２の各々と平行に延びる四つの辺はそれぞれ隣接する正八角形形状の他の要素領域Ａｂと共有され、第１方向ｄ１及び第２方向ｄ２の各々と非平行に延びる他の四つの辺はそれぞれ隣接する正四角形状の要素領域Ａｂと共有されるように、複数の要素領域Ａｂ及び複数の光透過孔４５を連続的に配置することができる。
【００６１】
上述の構成を有する本実施の形態の照度分布調整板４０において、基材４１はアルミニウム体を有する。このアルミニウム体は、アルミニウム（Ａｌ）のみによって構成されてもよいし、アルミニウムに加えて他の材料を含有していてもよい。
【００６２】
図７Ａは、照度分布調整板４０の層構造の一例を説明するための断面図であり、照度分布調整板４０の構造を簡略的に示している。図７Ａに示す照度分布調整板４０の基材４１は、アルミニウム層５４及び樹脂層５５を有する。アルミニウム層５４は、アルミニウム体５３によって層状に形成されている。図示のアルミニウム層５４は、基材４１の延在方向（すなわち第１方向ｄ１及び第２方向ｄ２）の全体をカバーするように（すなわち光反射層３６と対向する面の全体にわたって）設けられているが、基材４１の延在方向の一部のみをカバーするように（すなわち光反射層３６と対向する面の一部のみにわたって）設けられてもよい。樹脂層５５は、光源２２からの入射光の少なくとも一部を透過可能な樹脂によって構成されている。図示の樹脂層５５は、アルミニウム層５４上に積層されており、アルミニウム層５４よりも光源２２に近い側（すなわち光反射層３６と対面する側）に配置されている。したがって、光源２２から発せられ樹脂層５５に入射した光の少なくとも一部は、樹脂層５５を透過してアルミニウム層５４に向かって進行し、アルミニウム層５４によって反射されて再び樹脂層５５を透過し、最終的に樹脂層５５から出射する。
【００６３】
アルミニウム層５４は、任意の方法によって樹脂層５５上に形成することができ、例えば蒸着によって樹脂層５５上にアルミニウム層５４を直接的に形成してもよいし、アルミニウム層５４を形成するアルミニウム箔を接着剤（図示省略）によって樹脂層５５に貼り付けてもよい。またアルミニウム層５４と樹脂層５５との間に他の層が介在していてもよい。またアルミニウム層５４には各種の加工が施されていてもよい。例えば、アルミニウム層５４の表面（特に樹脂層５５側表面（すなわち光反射層３６側表面））に微細な凹凸形状を付与して光の拡散性能を向上させたり、アルミニウム層５４の表面に酸化皮膜を形成して耐食性を向上させたりすることも可能である。
【００６４】
なお照度分布調整板４０は、図７Ａに示す構成には限定されず、例えば図７Ｂに示す構成を有していてもよい。図７Ｂに示す照度分布調整板４０の基材４１は、基本的な構成は図７Ａに示す基材４１と類似するが、光が透過する第１樹脂層５６及び第２樹脂層５７を更に有する。第１樹脂層５６は、アルミニウム層５４よりも光源２２に近い側に配置され、第２樹脂層５７はアルミニウム層５４よりも光源２２から遠い側（すなわち光拡散板２６側）に配置されている。このように図７Ｂに示す照度分布調整板４０では、アルミニウム層５４が樹脂層（すなわち第１樹脂層５６及び第２樹脂層５７）によって挟まれている。
【００６５】
アルミニウムは、高光反射率、低光透過率及び低光吸収率を示す金属材料である。したがって照度分布調整板４０の基材４１がアルミニウム体５３を有することによって、照度分布調整板４０に入射した光の実質的に殆どすべての光が、最終的には照度分布調整板４０によって反射される。これにより、照度分布調整板４０における光の透過や吸収に起因する光のロス（損失）を防ぎ、面光源装置２０において光源２２からの光を有効に利用することができる。このような照度分布調整板４０を使うことによって、光源２２から離れた場所にも十分な強さの光を伝達することができ、光源２２から離れた場所（すなわち区画領域Ａａの周辺部）から発せられる光の強さが不十分になることを効果的に防ぐことができる。また一つの光源２２によって比較的広範囲の領域をカバーすることが可能であるため、光源の使用数を抑えて、製造コストの増大を防ぐこともできる。またアルミニウムは、加工性に優れ、軽量であり、常温下での安定性に優れ、比較的安価に入手できる。そのため、アルミニウム体５３を有する照度分布調整板４０を、安価且つ大量に効率良く製造することも可能である。
【００６６】
なお、照度分布調整板４０に含まれる樹脂層５５、第１樹脂層５６及び第２樹脂層５７を構成する樹脂材料は限定されない。また樹脂層５５、第１樹脂層５６及び第２樹脂層５７は、任意の光学特性を有していてもよく、例えば優れた光拡散性能や光反射性能を有することができる。例えば、表面に微細な凹凸を有する樹脂板や内部に光拡散粒子（例えば酸化チタンなどの白色顔料）を有する樹脂板によって樹脂層５５、第１樹脂層５６及び第２樹脂層５７を形成することにより、樹脂層５５、第１樹脂層５６及び第２樹脂層５７は優れた光拡散性能を示す。また発泡ポリエチレンテレフタレート（発泡ＰＥＴ）等の発泡樹脂によって樹脂層５５、第１樹脂層５６及び第２樹脂層５７を形成することにより、樹脂層５５、第１樹脂層５６及び第２樹脂層５７は優れた光反射性能を示す。
【００６７】
図８は、一つの区画領域Ａａにおいて照度分布調整板４０及び光反射層３６によって区画される空間を概略的に示す断面図である。上述のようにアルミニウム体５３を有する照度分布調整板４０を使うことにより、光源２２からの光を有効活用することができる。そのため、一つの光源２２によってより広範な範囲の領域をカバーすることができるため、各区画領域Ａａの一辺の長さＬを大きくすることも可能である。なお、ここで言う「長さＬ」は、上述の各区画領域Ａａの第１方向ｄ１に関する幅Ｗ１及び第２方向ｄ２に沿った幅Ｗ２の各々を代表的に表している。また対向方向ｄ３に関する照度分布調整板４０の基材４１と光反射層３６との間の距離Ｄや対向方向ｄ３に関する基材４１と光源２２（特に発光部）との間の距離が小さくても、照度分布調整板４０は、光源２２から離れた場所（すなわち区画領域Ａａの周辺部）にまで十分な強さの光を反射により伝達することができる。
【００６８】
各区画領域Ａａの一辺の長さＬ及び照度分布調整板４０と光反射層３６との間の距離Ｄは、装置の実際の構成要素の特性に応じて適応的に決められる。ただし一般的には、当該長さＬが２０ｍｍ以上の場合や当該距離Ｄが２ｍｍ以下の場合に、光源２２から離れた場所（すなわち区画領域Ａａの周辺部）に十分な強さの光を伝達することが難しくなる傾向がある。一方、上述のようにアルミニウム体５３を有する照度分布調整板４０を使うことによって、対向方向ｄ３に関する照度分布調整板４０と光反射層３６との間の距離Ｄが２ｍｍ以下であっても（例えば１．５ｍｍ以下であっても）、照度分布調整板４０及び光反射層３６は区画領域Ａａの周辺部にまで十分な強さの光を伝達することが可能である。また各区画領域Ａａの一辺の長さＬが２０ｍｍ以上であっても（例えば、２５ｍｍ以上、或いは３０ｍｍ以上であっても）、本実施の形態の照度分布調整板４０及び光反射層３６は区画領域Ａａの周辺部にまで十分な強さの光を伝達することが可能である。
【００６９】
本件発明者は、十分な強さの光を区画領域Ａａの周辺部にまで伝達することが可能な「対向方向ｄ３に関する照度分布調整板４０と光反射層３６との間の距離Ｄ」と「各区画領域Ａａの一辺の長さＬ」との関係を分析した。その結果、一般の面光源装置２０では、「対向方向ｄ３に関する照度分布調整板４０と光反射層３６との間の距離Ｄ」及び「各区画領域Ａａの一辺の長さＬ」が「Ｌ／Ｄ≧１０」を満たす場合に、十分な強さの光を区画領域Ａａの周辺部にまで伝達することが難しくなる傾向があるという知見を得るに至った。
【００７０】
一方、上述のようにアルミニウム体５３を有する照度分布調整板４０を使うことによって、Ｌ／Ｄ≧１０が満たされる場合であっても（例えばＬ／Ｄ≧１３が満たされる場合であっても）、照度分布調整板４０及び光反射層３６は区画領域Ａａの周辺部にまで十分な強さの光を伝達することが可能であるという新たな知見を本件発明者は得た。したがって、本実施の形態の照度分布調整板４０、面光源装置２０及び表示装置１０によれば、面光源装置２０の厚み（特に照度分布調整板４０と光反射層３６との間の距離）を小さくして、面光源装置２０及び表示装置１０をより一層薄くすることが可能である。また一つの光源２２によってカバー可能な区画領域Ａａを大きくすることが可能であり、面光源装置２０は少ない数の光源２２を使って所望の大きさの出光面２０ａから所望の強さの光を発することも可能である。
【実施例】
【００７１】
本件発明者は、実験及びシミュレーションを行い、対向方向ｄ３に関する照度分布調整板４０と光反射層３６との間の距離Ｄと、区画領域Ａａにおいて照度分布調整板４０により伝達される光の強さとの関係について考察を行った。
【００７２】
図９は、対向方向ｄ３に関する照度分布調整板４０と光反射層３６との間の距離Ｄと、区画領域Ａａにおいて照度分布調整板４０により伝達される光の強さ（照度分布）と、の関係例を示す図である。
【００７３】
図９の（ａ）〜（ｆ）の各図は、区画領域Ａａにおける発光の強さ（照度（ルクス：ｌｘ））をグレースケールによって表している。図９の（ａ）〜（ｆ）の各図の右側には、参考としてグレースケールの指標が示されており、各図の白に近い箇所ほど（すなわち指標の上側ほど）照度が大きい（すなわちより明るい）ことを示し、黒に近い箇所ほど（すなわち指標の下側ほど）照度が小さい（すなわち照度がゼロ（０）に近い）ことを示す。
【００７４】
図９の（ａ）〜（ｃ）は、上述の本発明の一実施の形態に係る「アルミニウム体５３（すなわち図７Ａに示すようなアルミニウム層５４）を有する照度分布調整板４０」を使って得られたデータに基づいている。一方、図９の（ｄ）〜（ｆ）は、アルミニウム体５３を含まない従来の照度分布調整板４０（発泡ＰＥＴ製の照度分布調整板４０）を使って得られたデータに基づいている。その他の条件は、図９（ａ）〜（ｆ）において共通である。なお図９の（ａ）〜（ｆ）の各々において想定されている区画領域Ａａは、２０ｍｍ（横方向サイズ）×２４．４ｍｍ（縦方向サイズ）の矩形状の平面形状を有する。
【００７５】
図９の（ａ）及び（ｄ）は、対向方向ｄ３に関する照度分布調整板４０と光反射層３６との間の距離Ｄが「２ｍｍ」であり、対向方向ｄ３に関する照度分布調整板４０と光源２２との間の距離が「１．６ｍｍ」である場合の、区画領域Ａａにおける発光の強さ（照度）を示す。これらの条件によれば、図示のように、アルミニウム体５３を含む照度分布調整板４０を使用する場合（図９（ａ）参照）の方が、アルミニウム体５３を含まない照度分布調整板４０を使用する場合（図９（ｄ）参照）に比べ、区画領域Ａａの全面にわたる発光の程度が若干強かった。ただし、両者（図９（ａ）及び（ｄ））の間に明確な差異は見受けられず、いずれの場合も、区画領域Ａａの周辺部にまで十分な強さの光が伝達されていた。なお、図９（ａ）及び（ｄ）に示すいずれの場合も、光の利用効率（すなわち、「光源２２から発せられる光の強さ（光エネルギー）」に対する「照度分布調整板４０の光透過孔４５から出射する光の強さ」の割合）は概ね３０％程度であった。
【００７６】
図９の（ｂ）及び（ｅ）は、対向方向ｄ３に関する照度分布調整板４０と光反射層３６との間の距離Ｄが「１．５ｍｍ」であり、対向方向ｄ３に関する照度分布調整板４０と光源２２との間の距離が「１．１ｍｍ」である場合の、区画領域Ａａにおける発光の強さ（照度）を示す。これらの条件によれば、図示のように、アルミニウム体５３を含む照度分布調整板４０を使用する場合（図９（ｂ）参照）には、図９（ａ）に示す場合に比べて区画領域Ａａの全面にわたる発光の程度は弱くなっていたが、区画領域Ａａの周辺部にまで十分な強さの光が伝達されていた。一方、アルミニウム体５３を含まない照度分布調整板４０を使用する場合（図９（ｅ）参照）には、光源２２が設けられる区画領域Ａａの中心位置の近傍範囲には十分な強さの光が伝達されていたが、区画領域Ａａの周辺部には十分な強さの光が伝達されなかった。実際、図９（ｂ）に示す場合には、光の利用効率は概ね２０％程度であり、一つの光源２２によって一つの区画領域Ａａの全域をカバーすることができた。一方、図９（ｅ）に示す場合には、一つの区画領域Ａａの全域から十分な強さの光を発するには、計算上、概ね合計４個程度の光源２２が必要であった。
【００７７】
図９の（ｃ）及び（ｆ）は、対向方向ｄ３に関する照度分布調整板４０と光反射層３６との間の距離Ｄが「１．２ｍｍ」であり、対向方向ｄ３に関する照度分布調整板４０と光源２２との間の距離が「０．８ｍｍ」である場合の、区画領域Ａａにおける発光の強さ（照度）を示す。これらの条件によれば、図示のように、いずれの場合（図９（ｃ）及び（ｆ）参照）も、区画領域Ａａの周辺部には十分な強さの光が伝達されなかった。ただし、アルミニウム体５３を含む照度分布調整板４０を使用する場合（図９（ｃ）参照）の方が、アルミニウム体５３を含まない照度分布調整板４０を使用する場合（図９（ｆ）参照）に比べ、より広い範囲において、十分な強さの光が伝達されていた。実際、一つの区画領域Ａａの全域から十分な強さの光を発するには、計算上、図９（ｃ）に示す場合には概ね合計２個程度の光源２２が必要であったのに対し、図９（ｆ）に示す場合には概ね合計９個程度の光源２２が必要であった。
【００７８】
上述の図９の（ａ）〜（ｆ）からも明らかなように、アルミニウム体５３を含む照度分布調整板４０を使用する場合には、アルミニウム体５３を含まない照度分布調整板４０を使用する場合に比べ、照度分布調整板４０と光反射層３６との間の距離Ｄをより小さくすることができ、十分な強さの光をより広い範囲に伝達することができる。したがってアルミニウム体５３を含む照度分布調整板４０及びそのような照度分布調整板４０を具備する装置は、装置の薄型化に非常に有用であり、また光源２２の使用数を減らして製造コストを抑えることも可能であることが分かる。
【００７９】
なお、上述した実施の形態に対して様々な変更を加えた変形例に対しても本発明を適用することが可能であり、そのような実施の形態及び変形例の組み合わせに対しても本発明を適用することが可能である。
【符号の説明】
【００８０】
５  観察者
１０  表示装置
１０ａ  表示面
１５  表示パネル
１５ａ  表示面
２０  面光源装置
２０ａ  出光面
２２  光源
２３  スペーサ
２４  壁部
２５  開口
２６  光拡散板
２７  第１光学シート
２８  第２光学シート
３０  ベース積層体
３１  基材
３２  接合層
３３  フィルム基板
３４  配線層
３５  レジスト層
３６  光反射層
３７  導電接続層
４０  照度分布調整板
４１  基材
４５  光透過孔
５１  空隙層
５３  アルミニウム体
５４  アルミニウム層
５５  樹脂層
５６  第１樹脂層
５７  第２樹脂層
Ａａ  区画領域
Ａｂ  要素領域
ｄ１  第１方向
ｄ２  第２方向
ｄ３  対向方向
Ｌａ  区画線
【図１】
2020004658.tif 000003
【図２】
2020004658.tif 000004
【図３】
2020004658.tif 000005
【図４】
2020004658.tif 000006
【図５】
2020004658.tif 000007
【図６】
2020004658.tif 000008
【図７Ａ】
2020004658.tif 000009
【図７Ｂ】
2020004658.tif 000010
【図８】
2020004658.tif 000011
【図９】
2020004658.tif 000012